(57)【特許請求の範囲】
【請求項１】
Ｏリングが挿入可能な割れ目を有する円筒本体と、前記割れ目に挿入されたＯリングにより首振り機能を持って前記円筒本体の先端部に固定される、開口部が開閉可能なカニカン、ナスカン、引き輪等の小型フックを備えた魚の口中に刺さった釣り針除去用具であって、前記小型フックによって抜いた釣り針の針先が、前記円筒本体の割れ目に入るように構成されており、前記Ｏリングは、抜いた釣り針が再度刺さることがないように前記円筒本体の外部に突出して設けられていることを特徴とする魚の口中に刺さった釣り針除去用具。
【請求項２】
開口部が開閉可能なカニカン、ナスカン、引き輪等の小型フックと、当該小型フックの接続用小孔を、首振り機能をもたせて軸先端部に接続固定したアルミ円筒軸本体と、前記小型フックの下部に設けられた、釣り針のサイズに応じた厚みのゴムチューブ状の再刺し防止パッドを備えた魚の口中に刺さった釣り針除去用具であって、前記小型フックの接続用小孔にワイヤーを通し、その両先端を前記アルミ円筒軸本体の軸後部から引きつけて外部に折り返し、折り返したワイヤーを、前記アルミ円筒軸本体に外嵌するゴムキャップと前記アルミ円筒軸本体により挟み込んで収納固定することを特徴とする魚の口中に刺さった釣り針除去用具。
【発明の詳細な説明】
【発明の詳細な説明】
【技術分野】
【０００１】魚釣り用および医療用の釣り針除去用具に関わる。
【背景技術】
【０００２】  従来からある釣り針除去法には、針を外すために先端にＣ型状の開口部をもたらしただけの簡単なものから、抜き去った釣り針をカバーで覆って取り出す構造のものほか、特願２００１−０００２３９、特願平１１−１４９９７５、特開２００６−２８０３５２等がある。
【発明が解決しようとする課題】
【０００３】  しかし従来法は、いずれも、以下にのべる問題点のどれかの対策の不備によって、結果的に容易、迅速、確実な釣り針除去が困難な状況にある。
▲１▼釣り糸（以下テグス）また釣り針が「針り針外し具」のフック孔から外れやすい。
▲２▼フック孔部がテグスと針の接続部で引っかかりやすく糸を切ることが多い。
▲３▼ようやく刺さった針を外すことが可能になっても、引き出す際、再度、口中の別位置に刺さって抜けず糸を切ってしまうか、内蔵をえぐり、魚にとって気の毒な結果になる。
▲４▼上記操作を口中の針の状態を視認しながらおこなう必要があること等々、操作に経験とカンを必要とし、時間を浪費して効率が悪く、多数の釣り針と多大な手間が必要となり、非経済的で、初心者や子供には大きな困難がともない、めぼしい釣果が擧げられず、釣りの楽しみが半減し、場合によっては苦痛をともなって厭になってしまう人も生じる。
【０００４】  釣りが楽しくおこなえるためには、理想的には初心者また子供でも、口中の針を抜くときは上記問題なく、つまり、釣り糸が先端孔から外れず、テグスと針の接続部で引っかかることなく、引き抜くときにも抜いた針が再度同じ位置または別位置に突き刺さることなく除去できることが、特別な技術やコツなしに誰にでも容易にできることが望まれる。
【課題を解決する為の手段】
【０００５】  そこで本発明では、魚釣りにおける釣り針除去法において、
１）本体軸先端部に、テグスを保持し通過させるための孔開口部を開閉可能なカニカン、ナスカン、引き輪等の小型フック（鉤）部品を適当な微動（首振り）機能をもたらすよう遊びをもたせて接続し、２）該フック下部位置に釣り針サイズに応じた厚みのゴムチューブ状の再刺し防止パッドをもたらすことにより、該カニカン孔が釣り針のテグス接続部に達してもその首振り微動機能によってそこで止まって糸を切ることなくフック部が針の底部（湾曲部）に容易に到達可能にして刺さった釣り針を外せるとともに、引き抜く時も該パッドによって外された針先が再度刺さることなく容易、迅速、確実に釣り針を取り去ることを可能にするとともに、更にテグスと釣り針の接続部の段差を排除、補強した釣り糸を提供し、また通常の釣り針外しに「再刺し防止パッド」を提供することによって従来品に顕著なる釣り針外し効果をもたらせるよう構成されている。
【発明を実施するための最良の形態】
【０００６】  図１は、本発明になる釣り針外し具の一実施例のＡは正面図、Ｂは側面説明図であり、握り部２をもつたとえばアルミ円筒軸本体１の先端にはレバー４によって開閉自在なフック３のフック接続部がフック接続ピン７を支軸に、Ｂ図上部の矢印で示されるよう若干の首振り機能をもたらして接続され、そのフック接続部下部には、抜かれた針が再度口中に刺さることがないよう針サイズに応じた適当な厚みのゴムチューブ状の再刺し防止パッド１０が設置され、上記目的が達成されている。【０００７】  図２は、本体挿入時の側面説明図であり、魚がかかったテグスを引きながら本体を押し込んでいくと、フックの首振り機能によって通常は生じる釣り針接続部での引っかかりもなくスムーズに針先の湾曲部にフック孔を誘導することができ、通常の釣り針外し具よりもはるかに容易に失敗なく針はずしが可能になることを示している。【０００８】  図３は、本体脱出時の側面説明図である。フック孔が針の湾曲部に到達したときに本体を押し込めば、刺さった針を抜くことができる。しかし、針先がはみ出した状態にある通常の釣り針外し具ではそのまま引き抜くと、同じ場所または別の位置で再度口中に刺さって引き抜くことができなくなるが、本発明では、フック下部にもたらした釣り針サイズに応じた厚さのゴムチューブ状の再刺し防止パッド１０が再刺しを防止するので、再び針がささることなく針を本体とともに容易に引き抜き去ることが可能になることが示されており、ここでも、通常生じる「再刺し」という大きなトラブルが未然に防止される。【０００９】  図４は、釣り針のテグス接続部（針の頭）が通常Ｃ型フックの孔１３に引っかかる場合の釣り針とテグス接続部の一形態の説明図である。通常の釣り針外し具ではしばしばこれが生じ、この状態でテグスを引くとテグス接続部分１２位置で糸がたやすく切れてしまうことも多く、切れないまでもそのたびにそこが弱体化し、いずれ切れることになり、ハリスは長持ちしない。
しかし、本発明で使うカニカン等のフックは各部が丸く滑らかであることに加えてフック首振り機能があることによって、針の頭部１２は自然に揺すられてフック孔に滑べりこむという効果が生じるのでその弊害はきわめて少ない。しかし、該テグスと針との段差はなるべく少ない方がすべての場合において望ましいことは云うまでもない。【００１０】  そこで本発明では、上記問題を解決するための方法が追加される。
図５は釣り針とテグスを垂直に保持した状態において、その接続部１４に樹脂を塗布して段差がなくなるように加工した場合の側面説明図である。通常のハリスは針先とは反対側をプレスしてつぶしこれをストッパーとしてテグスが接続されているその頭１２に樹脂液を作用させることによって樹脂が垂れ下がって段差埋めることとなる。したがって、フック孔に対する滑り込みが大きく改善されることになり、ハリスも切れにくくなることにより、一本のハリスでより多くの釣り成果を擧げることが可能になる。
【発明の効果】
【００１１】  本発明は、本発明の機能をもたない先端に単にＣ型の開口部をもつものと比べると、それは比較の対象にならない。従来のものは糸が外れたり糸を切ってしまうなどあまりに失敗が多く、その使用にはよほどの経験とカンが必要であり、初心者や子供にはほとんど使いこなせない気の毒な道具といえる。
そして、糸はとり換えればよいとはいえ、そのためには切れた糸を外して新しいハリスを用意し繋ぐという手間と費やす時間と労力はほとんどエネルギーの無駄であり消耗である。もし、分単位でなく秒単位で迅速な針外しができれば、釣果は何倍もの大差がつくことはいうまでもない。とくに放流時が勝負時となる放流釣り、釣り時が限定される場合にはいかに要領よく素早く釣り針外しができるかが釣り成果の決め手となる。
【００１２】  従来は、まず口中を開いて針の状態を視認しながらおこなってもテグスまた釣り針がフック孔から外れたりフック孔が針の接続部でつっかえて、針を引き出す際に、再度、口中の別の位置に刺さって針が抜けず糸を切る、あるいは内蔵をえぐるような結果になる。
【００１３】  しかし、本発明では、必ずしも口中を視認して調べる必要はなく、フック孔にハリスを通したあとは、糸を引きながら本体を押すとフックが頭を振りながらつっかえることなく針の湾曲部に達し、押して針を抜いたあとはテグスとともに本体を引けば、再度、針が刺さることもなく抜き去ることが可能になる。操作時のフックの滑り込みと引き抜き操作が合理的に大きく改善されているので、初心者や子供でも手間取らずに容易、迅速確実な釣り針外しが可能になる。
【００１４】  なお、本発明では、従来製品を改善するために、先端にＣ型等の打ち抜き孔部または針金で先端に孔をこしらえたような従来の釣り針外しに図１−１０同様の再刺し防止パッドをもたらす、あるいは、図６に示すように、該パッドの代わりに先端が針先をカバーする筒状ゴムチューブ１６を本体軸１５にもたらし、これを針を捉えたフック部に押し込んで針先をカバーすることによって、従来品に失敗を大きく低減させ、能率改善を可能にする付加価値効果をもたらすことが可能となる。図６の場合は、従来品に筒状ゴムチューブ１６を追加するだけで「再刺し防止」によるきわめて顕著な釣り針外し効果をもたらすことが可能になる。
【００１５】  図７は、フック部に首振り機能をもたせるとともに、ゴムチューブを使用せずして防刺し効果をもたらした他の実施例をあらわす。
本実施例は、円筒先端部にＯリング１７が挿入可能になるようＶ字型の割れ目（切削溝）１９をもたらしたその円筒本体先端部に、カニカン、ナスカン、引き輪等の小型フック（鉤）がリング固定ピン１８によって固定することにより、フックに首振り機能を与えるとともに抜いたあとの針先２０が該Ｖ字型の割れ目（切削溝）１９に入るよう構成され、また円筒外部に突出したＯリングによって、釣り針２０が再度刺さることがないよう防止することにより、より容易、迅速、確実に口中の釣り針を除去可能にしている。
前記した実施例の場合、フック自体の接続用小穴は小さいので円筒への固定が困難となるが、本実施例の場合はＯリングに太いピンを通せばよいのでストッパーであるピン１８も大きく製作がはるかに容易となり、該Ｖ字型割れ目に針先を誘導し、かつ該Ｏリングの円筒からの突出部によって再差し防止効果によりゴムパッドが不要になるので、先端部を細くすることができ、より口中への挿入と脱出が容易となり、魚を傷つけることもすくなくなる。
【００１６】  図８は、カニカン、ナスカン、引き輪等の小型フック（鉤）の接続用小孔に一本の細いワイヤーを通しその両先端を筒状本体軸後部から引きつけて外部に折り返し、折り返したワイヤーをゴムキャップと軸間に挟み込んで収納固定することによって、フックの首振り機能とフックの着脱交換を容易に可能にした他の一実施例である。
すなわち、この実施例では、該フック（鉤）をフックの首振り機能とフックの着脱交換を容易に可能にするために、フックの接続部６の小孔に細いワイヤー２２の端と他端２３を筒状本体軸後部２４から引きつけてフックを先端位置に固定し、外部に折り返したワイヤーを２同様の握りを兼ねたゴムキャップ２６で固定することによって、フックの首振り機能とフックの着脱交換を容易に可能にするとともに、１０または１６同様の再刺し防止ゴムパッド２５によって針サイズに応じ上下の針先確保位置の微調整を可能にしている。
【００１７】  この場合は、筒状本体軸に孔加工等をすることなく、基本的にはワイヤー２２、２３をフックの接続小穴と円筒軸に通して引っぱってフックを引きつけて折り返して図９に示すゴムキャップ（握り）２６を嵌めるだけで目的が達成でき、部品も少なく製作容易で安価製造と供給が可能になり、しかもワイヤーの引き具合とパッド位置の調節でフックの首振り機能の調整とフックの着脱交換が容易に可能になる。
なお、図７の実施例の場合においては、Ｏ型リング１７を固定するリング固定ピン１８の代わりに、図８、９で示したのと同様に、フックの接続部６の小孔に細いワイヤー２２を通したその両先端２３を筒状本体軸後部２４から引きつけて折り返し、折り返したワイヤーをゴムキャップ２６で固定して目的を達成することができる。
【産業上の利用可能性】
【００１８】  これまで、特別な釣り熟達者以外、初心者はもとより多くの釣り愛好家が、折角釣り上げても、釣り針外しが困難なゆえに思うような成果が得られなかった現状が革命的に改善可能となり、釣り針外しに関わる手間とトラブル、それに関わるハリスと一分一秒を争う貴重な時間と労力を大幅に軽減するので、これまで避けられなかったストレスと無駄から解放して万人に快適な釣りの喜びを与えることができ、釣り文化の発展と向上に大きく寄与することが可能になる。【００１９】  とりわけ本発明では、テグスにフックをかけ円筒先端を針先まで押し込んでテグスを引きながら下方にポンと小突くと針先がはずれて魚が落下し、魚を手で掴むことなく、掴み損なって取り逃がすということもなくバケツや網に保存可能になる。手を汚さず安全、確実、迅速な釣り針はずしが、目をつぶってでも触覚だけで可能になる。ということは、これまで介助人なしにはできなかった幼児、目の不自由な方、車椅子の方々にも、手助けなし、自分一人でのフィッシングの喜びと釣り競争なども楽しむことができるという、人生生活を豊かにできる画期的な夢効果をもたらすことが可能になる。
【図面の簡単な説明】
【００２０】
【図１】  一実施例のＡは正面図、Ｂは側面説明図
【図２】  本体挿入時の側面説明図
【図３】  本体脱出時の側面説明図
【図４】  テグス接続部の側面説明図
【図５】  釣り針の樹脂加工部の側面説明図
【図６】  ゴム管先端が針先をカバーする他の実施例の正面図
【図７】  他の実施例のＡは正面図、Ｂは側面説明図
【図８】  他の実施例の正面図
【図９】  同実施例の側面説明図
【符号の説明】
【００２０】１  円筒軸本体
２  本体握り
３  小型のカニカン、ナスカン、引き輪等のフック（鉤）
４  開閉レバー
５  フック開閉部
６  フック接続部
７  フック接続ピン
８  釣り針
９  テグス
１０  再刺し防止パッド
１１  魚口中の針食い込み部
１２  糸接続部（針の頭）
１３  通常Ｃ型フックの孔
１４  樹脂加工したハリスのテグスと釣り針の接続部
１５  本体軸
１６  先端が針先をカバーする筒状ゴムチューブ
１７  Ｏ型リング
１８  リング固定ピン
１９  Ｖ字型割れ目（切削溝）
【図１】
0005651886.tif 000002
【図２】
0005651886.tif 000003
【図３】
0005651886.tif 000004
【図４】
0005651886.tif 000005
【図５】
0005651886.tif 000006
【図６】
0005651886.tif 000007
【図７】
0005651886.tif 000008
【図８】
0005651886.tif 000009